(57)【要約】【課題】蓋体が本体を摺動して容易に開閉することができ、捺印時に本体と蓋体とが連結して台となり朱肉を保持して捺印することができ、また本体と蓋体とは蓋体の開閉状態において分離しない朱肉ケースを提供する。【解決手段】表面４に朱肉３を埋設した四辺形の本体１と、該本体１の表面４、底面５および一方の側面６を被覆するコの字形の蓋体２とからなる朱肉ケース。前記蓋体が本体の表面と底面を摺動して開閉し、本体と蓋体とは蓋体の開閉状態において分離しない。【選択図】図３
2008119897.tif 000002
【特許請求の範囲】
【請求項１】
表面に朱肉を埋設した四辺形の本体と、該本体の表面、底面および一方の側面を被覆するコの字形の蓋体とからなり、前記蓋体が本体の表面と底面を摺動して開閉し、本体と蓋体とは蓋体の開閉状態において分離しないことを特徴とする朱肉ケース。
【請求項２】
前記本体の表面と底面に係止用突起が設けられ、蓋体の本体の表面と底面に対向する面に凸部が設けられ、蓋体の開状態において前記蓋体の凸部が本体の係止用突起に係合することにより本体と蓋体は分離しないことを特徴とする請求項１に記載の朱肉ケース。
【発明の詳細な説明】
【技術分野】
【０００１】
本発明は朱肉ケースに関し、特に本体と蓋体を摺動して開閉する朱肉ケースに関する。
【背景技術】
【０００２】
朱肉ケースは、朱肉を埋設した本体と、該本体を覆い朱肉を保護する蓋体とから形成されている。
従来の朱肉ケースは本体と蓋体とは別々に形成され、本体に蓋体が嵌合しており、捺印する時には本体と蓋体とを分離し、捺印した後に本体を蓋体で覆うものが用いられている（特許文献１、２）。
【０００３】
また、朱肉ケースとして、印鑑入れに朱肉を内蔵したものが用いられている（特許文献３）。
【特許文献１】特開２００１−２６１７２
【特許文献２】特開２００２−１７２８３８
【特許文献３】特開平７−２２３３５３
【発明の開示】
【発明が解決しようとする課題】
【０００４】
従来の朱肉ケースは、本体と蓋体とは別々に形成されているために、捺印時に蓋体を置く場所が必要となり、また朱肉ケースを携帯したり、移動したりする場合、本体と蓋体とが分離しやすい問題点があった。
【０００５】
本発明は、この様な背景技術に鑑みてなされたものであり、蓋体が本体を摺動して容易に開閉することができ、捺印時に本体と蓋体とが連結して台となり朱肉を保持して捺印することができ、また本体と蓋体とは蓋体の開閉状態において分離しない朱肉ケースを提供するものである。
【課題を解決するための手段】
【０００６】
すなわち、本発明は、表面に朱肉を埋設した四辺形の本体と、該本体の表面、底面および一方の側面を被覆するコの字形の蓋体とからなり、前記蓋体が本体の表面と底面を摺動して開閉し、本体と蓋体とは蓋体の開閉状態において分離しないことを特徴とする朱肉ケースである。
【０００７】
前記本体の表面と底面に係止用突起が設けられ、蓋体の本体の表面と底面に対向する面に凸部が設けられ、蓋体の開状態において前記蓋体の凸部が本体の係止用突起に係合することにより本体と蓋体は分離しないことが好ましい。
【発明の効果】
【０００８】
本発明によれば、蓋体が本体を摺動して容易に開閉することができ、捺印時に本体と蓋体とが連結して台となり朱肉を保持して捺印することができ、また本体と蓋体とは蓋体の開閉状態において分離しない朱肉ケースを提供することができる。
【発明を実施するための最良の形態】
【０００９】
以下、本発明を詳細に説明する。
本発明の朱肉ケースは、表面に朱肉を埋設した四辺形の本体と、該本体の表面、底面および一方の側面を被覆するコの字形の蓋体とから構成される。
【００１０】
また、朱肉ケースは、蓋体が本体の表面と底面を摺動して開閉し、本体と蓋体とは一体に形成され開閉状態において分離しないので、朱肉ケースを携帯したり、移動したりする場合、蓋体が開くことがない。
【００１１】
図１は、本発明の朱肉ケースの一実施態様を示す平面図、図２は正面図、図３は図２のＡＡ線断面図、図４は本発明の朱肉ケースの蓋を開いた状態を示す斜視図である。
図３において、本発明の朱肉ケースは、表面４に朱肉３を埋設した平面が四辺形の本体１と、該本体１の表面４、底面５および一方の側面６を被覆するコの字形の蓋体２とからなる。
【００１２】
本体１の表面４および底面５は、窪んだ凹状面に形成されており、該凹状面にコの字形の蓋体２が嵌合して蓋が閉じた状態となる。図１、２及び３は蓋が閉じた状態の朱肉ケースを示し、閉じた状態の本体１と蓋体２とは一体になり、外周面には凹凸はなく、滑らかな四辺形の朱肉ケースとなる。
【００１３】
本体１の表面４と底面５の側面６に近い位置の端部には、係止用突起７が設けられ、一方蓋体２の端部の、本体の表面と底面に対向する面に凸部８が設けられている。
蓋体を開くために蓋体を外側に向って移動すると、蓋体２の凸部８が本体の表面と底面を摺動して移動する。蓋体の開状態においては、前記蓋体の凸部８が本体の係止用突起７に係合することにより停止し、本体と蓋体は分離することがない。
【００１４】
図３において、１０は本体に設けられた位置決め用突起であり、蓋体２の凸部８の停止位置を決めるものである。例えば、蓋体を開くと、蓋体２の凸部８は、本体の係止用突起７と位置決め用突起１０の間で停止する。
【００１５】
コの字形の蓋体２の表面には、蓋体２を開ける時に指が滑るのを防止するために、滑り止め９が設けられている。また、蓋体２の底面は捺印時の台となので、平面であるのが好ましい。
【００１６】
図４に示す様に、蓋を開いた状態においては、本体と蓋体は連結し、両者の底面は各々が捺印時の抵抗を受ける台となる。そのために、捺印時に本体と蓋体とが同時に朱肉を保持して安定して捺印することができる。
【００１７】
本体と蓋体は、プラスチック、金属、セラミックス、陶器、或いはそれらを組む合わせて用いることがでるが、特にプラスチックが好ましい。
挙げられる。
【００１８】
また、朱肉は一般に使用されているものを用いることができる。また、朱肉の代わりに、フェルト、布やスポンジに、染料や顔料インクを含浸させたものを用いてもよい。
【実施例】
【００１９】
以下、実施例を示し本発明をさらに具体的に説明する。
実施例１
図１〜４に示す構成の朱肉ケースを作成した。
【００２０】
表面に朱肉を埋設した四辺形の黒色のプラスチック製の本体１を作成した。コの字形の白色のプラスチック製の蓋体２を作成した。蓋体が、本体の表面、底面および一方の側面を被覆する様に、本体と蓋体を嵌合した。蓋体を本体の表面と底面を摺動して開くと、蓋体の開状態においては、蓋体の凸部８が本体の係止用突起７に係合することにより停止し、本体と蓋体は分離することがない。
【００２１】
図４に示す様に、蓋を開いた状態においては、本体と蓋体の底面は、各々が捺印時の抵抗を受ける台となり、捺印時に本体と蓋体とが同時に朱肉を保持して安定して捺印することができる。
【産業上の利用可能性】
【００２２】
本発明の朱肉ケースは、蓋体が本体を摺動して容易に開閉することができ、捺印時に本体と蓋体とが連結して台となり朱肉を保持して捺印することができ、また本体と蓋体とは蓋体の開閉状態において分離しないので、持ち運びや携帯用の朱肉ケースとして利用することができる。
【図面の簡単な説明】
【００２３】
【図１】本発明の朱肉ケースの一実施態様を示す平面図である。
【図２】本発明の朱肉ケースの一実施態様を示す正面図である。
【図３】図２のＡＡ線断面図である。
【図４】本発明の朱肉ケースの蓋を開いた状態を示す斜視図である。
【符号の説明】
【００２４】
１  本体
２  蓋体
４  表面
５  底面
６  一方の側面
７  係止用突起
８  蓋体の凸部
９  滑り止め
１０  位置決め用突起
【図１】
2008119897.tif 000003
【図２】
2008119897.tif 000004
【図３】
2008119897.tif 000005
【図４】
2008119897.tif 000006